(57)【要約】【課題】ワークフローに従い行われる文書に対する編集又は確認の作業において、作業の担当者が実行中の工程に応じた正しい注釈を当該文書に付与するように当該担当者を支援する。【解決手段】情報処理システムが備えるクライアント装置の表示部には、ユーザが編集又は確認の作業を行う対象の文書を表示するための作業画面が表示される。作業画面の領域Ａ０１には文書が表示される。領域Ａ０１に表示される文書に対してはワークフローに従い編集又は確認の作業が行われる。作業画面の領域Ａ０２は、実行中の工程に応じた注釈の付与に関する規則として候補となる注釈の種別とデータ形式をリスト表示する領域Ｂ０１と、ユーザによる注釈の入力を受け付ける領域Ｂ０２を含む。ユーザは領域Ｂ０１に表示されるリストから付与したい注釈の種別及びデータ形式を選択した後、領域Ｂ０２に選択した種別に応じた内容の注釈を、選択したデータ形式で入力する。【選択図】図１４
2020009169.tif 000002
【特許請求の範囲】
【請求項１】
定められた順序で実行される複数の工程で構成されるワークフローに従い編集又は確認が行われる文書に関し、ユーザが実行している工程を特定する特定手段と、
ユーザが使用している表示装置に、当該工程に応じた規則であって注釈の付与に関する規則の表示を指示する表示指示手段と
を備える情報処理システム。
【請求項２】
前記文書に付与されている注釈を示す注釈データを取得する取得手段
を備え、
前記表示指示手段は、前記取得手段により取得された注釈データに基づき前記表示装置に表示を指示する規則を決定する
請求項１に記載の情報処理システム。
【請求項３】
前記取得手段が取得する注釈データは注釈の属性を示す属性データを含み、
前記表示指示手段は、前記取得手段により取得された注釈データの中から属性データに基づき１以上の注釈データを選択し、当該選択した１以上の注釈データに基づき前記表示装置に表示を指示する規則を決定する
請求項２に記載の情報処理システム。
【請求項４】
前記取得手段により取得される注釈データに含まれる属性データは注釈が付与された時に実行されていた工程を示し、
前記表示指示手段は、前記取得手段により取得された注釈データの中から属性データが示す工程とユーザが実行している工程との関連度に基づき１以上の注釈データを選択し、当該選択した注釈データに基づき前記表示装置に表示を指示する規則を決定する
請求項３に記載の情報処理システム。
【請求項５】
前記取得手段により取得される注釈データに含まれる属性データは注釈が付与された時刻を示し、
前記表示指示手段は、前記取得手段により取得された注釈データの中から属性データが示す時刻に基づき１以上の注釈データを選択し、当該選択した注釈データに基づき前記表示装置に表示を指示する規則を決定する
請求項３又は４に記載の情報処理システム。
【請求項６】
前記取得手段により取得される注釈データに含まれる属性データは注釈を付与した人物の役職を示し、
前記表示指示手段は、前記取得手段により取得された注釈データの中から属性データが示す役職に基づき１以上の注釈データを選択し、当該選択した注釈データに基づき前記表示装置に表示を指示する規則を決定する
請求項３乃至５のいずれか１項に記載の情報処理システム。
【請求項７】
前記取得手段は前記文書のうちユーザが注釈を付与する対象として指定した範囲を示す範囲データを取得し、
前記表示指示手段は、前記文書のうち前記範囲データが示す範囲の内容に基づき前記表示装置に表示を指示する規則を決定する
請求項２乃至６のいずれか１項に記載の情報処理システム。
【請求項８】
前記表示指示手段が前記表示装置に表示を指示する規則は、注釈のデータ形式を含む
請求項１乃至７のいずれか１項に記載の情報処理システム。
【請求項９】
前記表示指示手段は、前記ワークフローが変更された場合、変更後のワークフローを構成する複数の工程の各々に関し、当該工程の種別に基づき当該工程に応じた注釈の付与に関する規則を決定する
請求項１乃至８のいずれか１項に記載の情報処理システム。
【請求項１０】
コンピュータを、
定められた順序で実行される複数の工程で構成されるワークフローに従い編集又は確認が行われる文書に関し、ユーザが実行している工程を特定する特定手段、
ユーザが使用している表示装置に、当該工程に応じた規則であって注釈の付与に関する規則の表示を指示する表示指示手段
として機能させるためのプログラム。
【発明の詳細な説明】
【技術分野】
【０００１】
本発明は、文書に注釈を付与するための技術に関する。
【背景技術】
【０００２】
文書に注釈を付与する技術を開示した文献として、例えば特許文献１乃至３がある。特許文献１には、複数の対象情報に対し一の入力者により付与された注釈情報を、他の入力者により付与済みの注釈情報と比較し、これらの注釈情報の信頼性を評価し、評価した信頼性に基づいて、複数の対象情報のうち一の入力者が注釈情報を付与する対象の範囲を決定する情報処理装置と、コンピュータをそのような情報処理装置として機能させるためのプログラムが記載されている。
【０００３】
特許文献２には、ユーザの要求に応じてインターネットから検索されるウェブページを受け取り、受け取ったウェブページのデータを分析し、分析結果に基づき表示条件が満足されると判定したアノテーションをユーザが使用する装置に供給する方法及び装置が記載されている。
【０００４】
特許文献３には、アノテーションに付加されたメタ情報をサーバ経由で他のクライアントから受け取り、メタ情報に含まれるアノテーションの表示を制御する情報に基づいて、アノテーションの表示を制御する方法及びシステムが記載されている。
【先行技術文献】
【特許文献】
【０００５】
【特許文献１】特開２０１５−１６６９７５号公報
【特許文献２】特許第４２１５５１８号公報
【特許文献３】特許第６００２２５６号公報
【発明の概要】
【発明が解決しようとする課題】
【０００６】
文書に対し編集又は確認の作業を行うにあたり、作業の担当者が文書に注釈を付与することがある。文書に対する編集又は確認の作業が、定められた順序で実行される複数の工程で構成されるワークフローに従い行われる場合、工程に応じて文書に付与されるべき注釈の種別、形式、内容等が異なることがある。作業の担当者にとって、実行中の工程に応じた注釈の種別、形式、内容等が不明であると、誤った注釈が文書に付与されてしまう。
【０００７】
本発明は、定められた順序で実行される複数の工程で構成されるワークフローに従い行われる文書に対する編集又は確認の作業において、作業の担当者が実行中の工程に応じた注釈を当該文書に付与するよう支援する技術を提供する。
【課題を解決するための手段】
【０００８】
請求項１に記載の情報処理システムは、定められた順序で実行される複数の工程で構成されるワークフローに従い編集又は確認が行われる文書に関し、ユーザが実行している工程を特定する特定手段と、ユーザが使用している表示装置に、当該工程に応じた規則であって注釈の付与に関する規則の表示を指示する表示指示手段とを備える。
【０００９】
請求項２に記載の情報処理システムは、請求項１に記載の情報処理システムにおいて、前記文書に付与されている注釈を示す注釈データを取得する取得手段を備え、前記表示指示手段は、前記取得手段により取得された注釈データに基づき前記表示装置に表示を指示する規則を決定する。
【００１０】
請求項３に記載の情報処理システムは、請求項２に記載の情報処理システムにおいて、前記取得手段が取得する注釈データは注釈の属性を示す属性データを含み、前記表示指示手段は、前記取得手段により取得された注釈データの中から属性データに基づき１以上の注釈データを選択し、当該選択した１以上の注釈データに基づき前記表示装置に表示を指示する規則を決定する。
【００１１】
請求項４に記載の情報処理システムは、請求項３に記載の情報処理システムにおいて、前記取得手段により取得される注釈データに含まれる属性データは注釈が付与された時に実行されていた工程を示し、前記表示指示手段は、前記取得手段により取得された注釈データの中から属性データが示す工程とユーザが実行している工程との関連度に基づき１以上の注釈データを選択し、当該選択した注釈データに基づき前記表示装置に表示を指示する規則を決定する。
【００１２】
請求項５に記載の情報処理システムは、請求項３又は４に記載の情報処理システムにおいて、前記取得手段により取得される注釈データに含まれる属性データは注釈が付与された時刻を示し、前記表示指示手段は、前記取得手段により取得された注釈データの中から属性データが示す時刻に基づき１以上の注釈データを選択し、当該選択した注釈データに基づき前記表示装置に表示を指示する規則を決定する。
【００１３】
請求項６に記載の情報処理システムは、請求項３乃至５のいずれか１項に記載の情報処理システムにおいて、前記取得手段により取得される注釈データに含まれる属性データは注釈を付与した人物の役職を示し、前記表示指示手段は、前記取得手段により取得された注釈データの中から属性データが示す役職に基づき１以上の注釈データを選択し、当該選択した注釈データに基づき前記表示装置に表示を指示する規則を決定する。
【００１４】
請求項７に記載の情報処理システムは、請求項２乃至６のいずれか１項に記載の情報処理システムにおいて、前記取得手段は前記文書のうちユーザが注釈を付与する対象として指定した範囲を示す範囲データを取得し、前記表示指示手段は、前記文書のうち前記範囲データが示す範囲の内容に基づき前記表示装置に表示を指示する規則を決定する。
【００１５】
請求項８に記載の情報処理システムは、請求項１乃至７のいずれか１項に記載の情報処理システムにおいて、前記表示指示手段が前記表示装置に表示を指示する規則は、注釈のデータ形式を含む。
【００１６】
請求項９に記載の情報処理システムは、請求項１乃至８のいずれか１項に記載の情報処理システムにおいて、前記表示指示手段は、前記ワークフローが変更された場合、変更後のワークフローを構成する複数の工程の各々に関し、当該工程の種別に基づき当該工程に応じた注釈の付与に関する規則を決定する。
【００１７】
請求項１０に記載のプログラムは、コンピュータを、定められた順序で実行される複数の工程で構成されるワークフローに従い編集又は確認が行われる文書に関し、ユーザが実行している工程を特定する特定手段、ユーザが使用している表示装置に、当該工程に応じた規則であって注釈の付与に関する規則の表示を指示する表示指示手段として機能させるためのプログラムである。
【発明の効果】
【００１８】
請求項１、１０に係る発明によれば、定められた順序で実行される複数の工程で構成されるワークフローに従い行われる文書に対する編集又は確認の作業の担当者であるユーザは、実行中の工程に応じた正しい注釈を文書に付与できる。
【００１９】
請求項２に係る発明によれば、ユーザは、既に文書に付与されている注釈に応じた正しい注釈を文書に付与できる。
【００２０】
請求項３に係る発明によれば、ユーザは、既に文書に付与されている注釈のうち定められた条件を満たす属性を有する注釈に応じた正しい注釈を文書に付与できる。
【００２１】
請求項４に係る発明によれば、ユーザは、既に文書に付与されている注釈のうち実行している工程と定められた条件を満たす関連度を有する工程において付与された注釈に応じた正しい注釈を文書に付与できる。
【００２２】
請求項５に係る発明によれば、ユーザは、既に文書に付与されている注釈のうち付与された時刻が定められた条件を満たす注釈に応じた正しい注釈を文書に付与できる。
【００２３】
請求項６に係る発明によれば、ユーザは、既に文書に付与されている注釈のうち付与した人物の役職が定められた条件を満たす注釈に応じた正しい注釈を文書に付与できる。
【００２４】
請求項７に係る発明によれば、ユーザは、文書のうち注釈を付与する対象の範囲の内容に応じた正しい注釈を文書に付与できる。
【００２５】
請求項８に係る発明によれば、ユーザは、正しいデータ形式の注釈を文書に付与できる。
【００２６】
請求項９に係る発明によれば、ユーザは、ワークフローが変更された場合、変更後のワークフローにおける実行中の工程に応じた正しい注釈を文書に付与できる。
【図面の簡単な説明】
【００２７】
【図１】一実施形態に係る情報処理システムの構成を示した図。
【図２】一実施形態に係るサーバ装置のハードウェア構成を示した図。
【図３】一実施形態に係るクライアント装置のハードウェア構成を示した図。
【図４】一実施形態に係る情報処理システムが管理するワークフローの一例を示した図。
【図５】一実施形態に係るサーバ装置が記憶する文書テーブルのデータ構成例を示した図。
【図６】一実施形態に係るサーバ装置が記憶するユーザテーブルのデータ構成例を示した図。
【図７】一実施形態に係るサーバ装置が記憶する注釈種別定義テーブルのデータ構成例を示した図。
【図８】一実施形態に係るサーバ装置が記憶する工程種別定義テーブルのデータ構成例を示した図。
【図９】一実施形態に係るサーバ装置が記憶するワークフローテーブルのデータ構成例を示した図。
【図１０】一実施形態に係るサーバ装置が記憶する注釈付与規則テーブルのデータ構成例を示した図。
【図１１】一実施形態に係るサーバ装置が記憶する注釈テーブルのデータ構成例を示した図。
【図１２】一実施形態に係るサーバ装置とクライアント装置の機能構成を示した図。
【図１３】一実施形態に係るサーバ装置とクライアント装置により行われる処理のシーケンス例を示した図。
【図１４】一実施形態に係るクライアント装置が表示する作業画面を模式的に示した図。
【図１５】一変形例に係るクライアント装置が表示するワークフロー変更画面を模式的に示した図。
【図１６】一変形例に係るクライアント装置が表示するワークフロー変更画面を模式的に示した図。
【図１７】一変形例に係るクライアント装置が表示するワークフロー変更画面を模式的に示した図。
【図１８】一変形例に係るサーバ装置の機能構成を示した図。
【図１９】一変形例に係るサーバ装置が記憶する注釈種別決定規則テーブルのデータ構成例を示した図。
【図２０】一変形例に係るサーバ装置が記憶する注釈種別決定規則テーブルのデータ構成例を示した図。
【発明を実施するための形態】
【００２８】
［実施形態］
以下に本発明の一実施形態に係る情報処理システム１を説明する。情報処理システム１は、ワークフローに従い編集又は確認が行われる文書に対し、編集又は確認の担当者であるユーザが注釈を付与する作業を支援するシステムである。
【００２９】
本願においてワークフローとは、定められた順序で実行される複数の工程で構成される作業の流れを意味する。また、本願において文書とは、広くデータ処理装置により作成され記録されたユーザが閲覧可能な情報を意味する。文書を示すデータ（以下、「文書データ」という）の例としては、文章を示すテキストデータ、マークアップ言語を用いて記述されたデータ、プログラムのコード、図形を示すＣＡＤ（computer-aided design）データ等が挙げられる。
【００３０】
文書に対し付与された注釈は注釈データで表され、文書データに関連付けて記憶される。注釈が付与された文書が表示又は印刷される際、注釈もまた表示又は印刷されることで、文書を閲覧する人に文書に関する付加的な情報が伝達される。
【００３１】
図１は、情報処理システム１の構成を示した図である。情報処理システム１は、サーバ装置１０と、ユーザにより使用されるクライアント装置２０を備える。図１においてクライアント装置２０の数は３であるが、クライアント装置２０の数はユーザに数に応じて変化する。また、以下の説明においてサーバ装置１０は１つの装置で構成されるものとするが、サーバ装置１０が連係動作する複数の装置で構成されてもよい。
【００３２】
図２は、サーバ装置１０のハードウェア構成を示した図である。サーバ装置１０のハードウェアはサーバ装置用のコンピュータであり、制御部１１、記憶部１２、通信部１３を備える。制御部１１は、ＣＰＵ（Central Processing Unit）などの演算装置と、ＲＯＭ（Read Only Memory）やＲＡＭ（Random Access Memory）などの記憶装置とを備える。ＲＯＭは、例えば、ハードウェアやＯＳ（Operating System）の起動の手順を記述したファームウェアを記憶する。ＲＡＭは、例えば、ＣＰＵが演算を実行する際のデータの記憶に用いられる。
【００３３】
記憶部１２は、例えば半導体メモリやハードディスク記憶装置などを備え、ＯＳやアプリケーションなどのプログラムとプログラムの実行時に利用される各種データを記憶する。通信部１３は、ＬＡＮ（Local Area Network）などの通信回線に接続される通信Ｉ／Ｆ（Interface）を備え、外部のデータ処理装置とデータ通信を行う。
【００３４】
なお、記憶部１２がサーバ装置１０に内蔵されず、サーバ装置１０に通信ネットワークを介さずに接続された外部の装置、又は、サーバ装置１０に通信ネットワークを介して接続された外部の装置として構成されてもよい。
【００３５】
図３は、クライアント装置２０のハードウェア構成を示した図である。クライアント装置２０のハードウェアはクライアント装置用のコンピュータであり、制御部２１、記憶部２２、通信部２３、表示部２４、受付部２５を備える。クライアント装置２０が備える制御部２１、記憶部２２、通信部２３は、サーバ装置１０が備える制御部１１、記憶部１２、通信部１３と同じ機能を備える構成部である。
【００３６】
表示部２４は、例えば、液晶表示パネルなどの表示装置を備える。表示部２４は、制御部２１の制御下で、ユーザがクライアント装置２０を操作するための仮想的な操作子が配置されたＧＵＩ（graphical user interface）の画面を表示する。受付部２５は、例えば、キーボード、ポインティングデバイスなどを備え、ＧＵＩに対するユーザの操作を受け付ける。ポインティングデバイスは、例えば、マウス、タッチパッド、表示部２４の表示面を覆うタッチパネルなどである。なお、記憶部２２、表示部２４及び受付部２５の少なくとも一つがクライアント装置２０に内蔵されず、クライアント装置２０に通信ネットワークを介さずに接続された外部の装置、又は、クライアント装置２０に通信ネットワークを介して接続された外部の装置として構成されてもよい。
【００３７】
図４は、ワークフローの一例を示した図である。図４に例示のワークフローは、工程Ｓ１乃至Ｓ４の４つの工程で構成され、工程Ｓ１、工程Ｓ２、工程Ｓ３、工程Ｓ４の順に実行される。また、工程Ｓ３で行われた作業に関し承認者による承認が得られなければ、工程Ｓ４は実行されず、工程Ｓ２が再度、実行される。
【００３８】
以下に、サーバ装置１０の記憶部１２に記憶されている各種データを説明する。図５は、文書テーブルのデータ構成例を示した図である。文書テーブルは情報処理システム１が管理する複数の文書の各々に関するレコードを格納するテーブルであり、フィールドとして文書ＩＤ（Identifier）、文書名を有する。図５の文書テーブルには文書データは格納されず、文書データは文書ＩＤにより識別されるファイルとして記憶部２２に記憶されている。ただし、文書テーブルが文書データを格納してもよい。
【００３９】
図６は、ユーザテーブルのデータ構成例を示した図である。ユーザテーブルは情報処理システム１を利用する複数のユーザの各々に関するレコードを格納するテーブルであり、フィールドとしてユーザＩＤ、ユーザ名、役職を有する。
【００４０】
図７は、注釈種別定義テーブルのデータ構成例を示した図である。注釈種別定義テーブルは複数の注釈の種別（以下、「注釈種別」という）の各々に関するレコードを格納するテーブルであり、フィールドとして注釈種別ＩＤ、注釈種別名、データ形式を有する。注釈種別の例としては、特定の範囲を目立たせる注釈である「ハイライト」、文書の変更に関する注釈である「変更」、文書の誤りに関する注釈である「誤り」、文書に対する要求事項に関する注釈である「要求事項」、文書の仕様に関する注釈である「仕様」、文書の修正依頼に関する注釈である「修正依頼」等が挙げられる。データ形式の例としては、フラグ、テキスト、数値、日付、時刻、それらの組み合わせ等が挙げられる。
【００４１】
図８は、工程種別定義テーブルのデータ構成例を示した図である。工程種別定義テーブルは複数の工程の種別（以下、「工程種別」という）の各々に関するレコードを格納するテーブルであり、フィールドとして工程種別ＩＤ、工程種別名、注釈種別ＩＤを有する。図４に例示の工程Ｓ１乃至Ｓ４に付されている「新規作成」、「下書更新」、「レビュー」、「配布」は工程種別名の例である。
【００４２】
工程種別定義テーブルの各レコードのフィールド「注釈種別ＩＤ」には、１以上の注釈種別ＩＤが格納される。これらの注釈種別ＩＤにより識別される注釈種別は、工程種別ＩＤにより識別される工程種別の工程が実行される際にユーザに対し表示される注釈種別の候補の既定値である。
【００４３】
図９は、ワークフローテーブルのデータ構成例を示した図である。ワークフローテーブルは文書テーブル（図５）に格納される複数の文書ＩＤの各々に応じて準備されている。図９は、文書ＩＤが「１２３４」である文書に応じたワークフローテーブルを例示している。ワークフローテーブルは、ワークフローを構成する複数の工程の各々に関するレコードを格納するテーブルであり、フィールドとして工程番号、工程種別ＩＤ、先行工程番号、アクション名、後続工程番号、担当ユーザＩＤ、アクティブフラグ、実行中フラグを有する。
【００４４】
工程番号はワークフロー内における工程を識別する番号である。工程種別ＩＤは工程番号に応じた工程の工程種別を識別する。なお、ワークフローテーブルに格納されている工程種別ＩＤに応じた工程種別名等は、工程種別定義テーブル（図８）により特定される。
【００４５】
先行工程番号はレコードに応じた工程に先行する工程の工程番号である。例えば、工程番号「２」の工程の先行工程番号が「１」である場合、工程番号「１」の工程の次に、工程番号「２」の工程が実行される。
【００４６】
アクション名はレコードに応じた工程における作業の終了時にユーザにより入力される情報であり、次に実行されるべき工程を指示する情報である。アクション名の例としては、後続工程番号により識別される工程に進むことを指示する「完了」や「承認」、先行するいずれかの工程に戻ることを指示する「差し戻し」などが挙げられる。
【００４７】
後続工程番号は、レコードに応じた工程における作業の終了時にユーザによりアクション名に指定された情報が入力された場合に、次に実行されるべき工程の工程番号である。例えば、工程番号「３」の工程のアクション名「差し戻し」に応じた後続工程番号が「２」である場合、工程番号「３」の工程の終了時にユーザにより「差し戻し」が入力されると、次に工程番号「２」の工程が再び実行される。
【００４８】
担当ユーザＩＤはレコードに応じた工程を担当するユーザを識別する。なお、ワークフローテーブルに格納されている担当ユーザＩＤに応じたユーザ名等はユーザテーブル（図６）により特定される。
【００４９】
アクティブフラグは現在、実行可能な工程を示すフラグである。例えば、工程番号「２」の工程は、先行する工程番号「１」の工程が完了した後、工程番号「２」の工程が完了するまでの間、実行可能であり、その間、アクティブフラグに「Ｔｒｕｅ」が設定される。それ以外の期間においては、アクティブフラグには「Ｆａｌｓｅ」が設定される。
【００５０】
実行中フラグは現在、実行中の工程を示すフラグである。例えば、工程番号「２」の工程が実行中であれば、工程番号「２」の実行中フラグに「Ｔｒｕｅ」が設定され、それ以外の工程の実行中フラグには「Ｆａｌｓｅ」が設定される。なお、実行中の工程がない場合、全ての工程の実行中フラグには「Ｆａｌｓｅ」が設定される。
【００５１】
図１０は注釈付与規則テーブルのデータ構成例を示した図である。注釈付与規則テーブルは文書テーブル（図５）に格納される複数の文書ＩＤの各々に応じて準備されている。図１０は、文書ＩＤが「１２３４」である文書に応じた注釈付与規則テーブルを例示している。注釈付与規則テーブルは、ワークフローを構成する複数の工程の各々に関し、当該工程に応じた注釈付与規則に関するレコードを格納するテーブルであり、フィールドとして工程番号、注釈種別ＩＤを有する。
【００５２】
注釈付与規則とは、ユーザが実行している工程に応じた規則であって、注釈の付与に関する規則である。本実施形態において、注釈付与規則は、付与されるべき注釈の注釈種別名及びデータ形式で表現される。
【００５３】
注釈付与規則テーブルの工程番号は、フィールド「注釈種別ＩＤ」に格納されている注釈種別ＩＤにより特定される注釈付与規則がユーザに対し表示される工程の工程番号である。注釈付与規則テーブルのフィールド「注釈種別ＩＤ」には、１以上の注釈種別ＩＤが格納されている。注釈付与規則テーブルのフィールド「注釈種別ＩＤ」に格納されている注釈種別ＩＤは、工程番号により識別される工程の工程種別に応じて、工程種別定義テーブル（図８）のフィールド「注釈種別ＩＤ」に格納されている注釈種別ＩＤを既定値とし、ユーザにより追加、削除されたものである。
【００５４】
図１１は注釈テーブルのデータ構成例を示した図である。注釈テーブルは文書テーブル（図５）に格納される複数の文書ＩＤの各々に応じて準備されている。図１１は、文書ＩＤが「１２３４」である文書に応じた注釈テーブルを例示している。注釈テーブルは文書に付与された複数の注釈の各々に関するレコードを格納するテーブルであり、フィールドとして注釈ＩＤ、担当ユーザＩＤ、開始位置、終了位置、注釈種別ＩＤ、注釈内容、付与工程番号、付与時刻を有する。なお、注釈テーブルに格納される複数のレコードの各々が、文書に付与されている注釈を示す注釈データである。
【００５５】
担当ユーザＩＤは注釈ＩＤにより識別される注釈を付与したユーザを識別する。担当ユーザＩＤにより識別されるユーザのユーザ名等は、ユーザテーブル（図６）により特定される。
【００５６】
開始位置は文書のうちユーザが注釈を付与する対象として指定した範囲の開始位置である。終了位置は当該範囲の終了位置である。なお、ユーザにより注釈を付与する対象の範囲に代えて、注釈を付与する対象の位置が指定される場合がある。その場合、開始位置と終了位置は同じ位置を示す。
【００５７】
注釈種別ＩＤは注釈種別を識別する。注釈種別ＩＤにより識別される注釈種別の注釈種別名等は注釈種別定義テーブル（図７）により特定される。
【００５８】
注釈内容はユーザにより付与された注釈の内容を示すテキスト等である。注釈内容のデータ形式は、注釈種別ＩＤにより識別される注釈種別に応じたデータ形式である。
【００５９】
付与工程番号は、注釈が付与されたときに実行されていた工程の工程番号である。付与時刻は、注釈が付与された時刻である。
【００６０】
なお、注釈テーブルに格納されている担当ユーザＩＤにより識別されるユーザの役職、付与工程番号により識別される注釈が付与された工程、付与時刻により特定される注釈が付与された時刻等は、注釈の属性の例である。
【００６１】
以上がサーバ装置１０の記憶部１２に記憶されている各種データの説明である。
【００６２】
図１２は、サーバ装置１０とクライアント装置２０の機能構成を示した図である。サーバ装置１０のハードウェアであるコンピュータの制御部１１が本実施形態に係るサーバ装置用のプログラムに従う処理を行うと、図１２の左側に示す構成を備えるサーバ装置１０が実現される。また、クライアント装置２０のハードウェアであるコンピュータの制御部２１が本実施形態に係るクライアント装置用のプログラムに従う処理を行うと、図１２の右側に示す構成を備えるクライアント装置２０が実現される。
【００６３】
サーバ装置１０は、機能構成部として、特定手段１１０と表示指示手段１２０を備える。特定手段１１０は、ワークフローを構成する複数の工程のうちユーザが実行している工程を特定する。表示指示手段１２０は、ユーザが使用しているクライアント装置２０の表示部２４（表示装置の一例）に、特定手段１１０により特定された工程に応じた注釈付与規則の表示を指示する。
【００６４】
クライアント装置２０は、機能構成部として、受付手段２１０と表示手段２２０を備える。受付手段２１０はユーザにより入力される各種データを受け付ける。受付手段２１０が受け付けるデータには、ワークフローを構成する複数の工程のうちユーザが実行している工程を特定するためのデータが含まれる。表示手段２２０はユーザに対し各種情報を表示する。表示手段２２０が表示する情報には、ユーザが実行している工程に応じた注釈付与規則が含まれる。
【００６５】
図１３は、ユーザが自分の担当する工程の作業を開始する際にサーバ装置１０とクライアント装置２０により行われる処理のシーケンス例を示した図である。クライアント装置２０はユーザの操作に応じてサーバ装置１０にログインする（ステップＳ１０１）。ステップＳ１０１において、クライアント装置２０からサーバ装置１０にユーザを識別するユーザＩＤが送信される。
【００６６】
サーバ装置１０は、ユーザテーブル（図６）、ワークフローテーブル（図９）、工程種別定義テーブル（図８）を参照し、ステップＳ１０１においてログインしたユーザが現在、実行可能な工程を抽出し、抽出した工程の工程種別名と作業対象の文書の文書名を示すリスト（以下、「工程リスト」という）を生成する。サーバ装置１０は生成した工程リストをクライアント装置２０に送信する（ステップＳ１０２）。
【００６７】
クライアント装置２０はステップＳ１０２においてサーバ装置１０から受信した工程リストを表示する。ユーザは、クライアント装置２０に表示される工程リストから、作業を開始する工程を選択する（ステップＳ１０３）。ステップＳ１０３において、クライアント装置２０からサーバ装置１０に、ユーザにより選択された工程を示すデータが送信される。サーバ装置１０の特定手段１１０は、ステップＳ１０３においてクライアント装置２０から受信するデータに基づき、ユーザが実行している工程を特定する。
【００６８】
サーバ装置１０は、文書テーブル（図５）を参照し、ステップＳ１０３においてクライアント装置２０から受信したデータが示す工程の対象の文書を示す文書データを記憶部１２から読み出す。また、サーバ装置１０は、注釈付与規則テーブル（図１０）と注釈種別定義テーブル（図７）を参照し、ステップＳ１０３においてクライアント装置２０から受信したデータが示す工程に応じた注釈種別名とデータ形式のリスト（以下、「注釈種別リスト」という）を生成する。注釈種別リストは、サーバ装置１０の表示指示手段１２０により生成され、サーバ装置１０がクライアント装置２０に対し注釈付与規則の表示を指示する役割を果たす。
【００６９】
サーバ装置１０は、上記のように読み出した文書データと、上記のように生成した注釈種別リストと、当該文書データに応じた注釈テーブル（図１１）をクライアント装置２０に送信する（ステップＳ１０４）。
【００７０】
クライアント装置２０は、ステップＳ１０４においてサーバ装置１０から受信したデータを用いて、ユーザが文書を編集又は確認するとともに、文書に対し注釈を付与するための画面（以下、「作業画面」という）を表示する（ステップＳ１０５）。
【００７１】
図１４は、クライアント装置２０の表示部２４が表示する作業画面を模式的に示した図である。作業画面には、文書を表示する領域Ａ０１と、ユーザによる注釈を付与するための操作を受け付けるＧＵＩを表示する領域Ａ０２が含まれる。
【００７２】
領域Ａ０１に表示される文書のうち注釈が付されている範囲には、例えば特定の色が付されている。ユーザが、注釈が付与されている範囲に、例えばカーソルを置く等の操作を行うと、その範囲に付与されている注釈がポップアップ表示される。
【００７３】
領域Ａ０２には、注釈種別リストを表示する領域Ｂ０１と、ユーザによる注釈の入力を受け付ける領域Ｂ０２と、ユーザが入力した注釈を保存する際にクリック等する「保存」ボタンと、ユーザが入力した注釈を保存せずに破棄する際にクリック等する「取消」ボタンが含まれる。
【００７４】
ユーザは、領域Ａ０１に表示されている文書に対する編集又は確認の作業を行う。その際、必要に応じて、文書に付与されている注釈を閲覧する。また、ユーザは、領域Ａ０１に表示されている文書のいずれかの範囲又は位置をカーソル等で指定した後、領域Ｂ０１に表示されている注釈種別リストから、付与する注釈の種別を選択した後、領域Ｂ０２に対し注釈を入力する。なお、ユーザが領域Ｂ０２において入力可能な注釈のデータ形式は、注釈種別リストからユーザが選択した注釈種別に応じたデータ形式に限られる。
【００７５】
ユーザが注釈の入力を行った後、「保存」ボタンをクリック等すると、クライアント装置２０は、ユーザにより入力された注釈を示す注釈データをサーバ装置１０に送信する。サーバ装置１０はクライアント装置２０から受信した注釈データを、作業中の文書に応じた注釈テーブル（図１１）に格納する。
【００７６】
上述した情報処理システム１によれば、ユーザは注釈種別リストを見て、実行中の工程に応じた正しい注釈を文書に付与できる。
【００７７】
［変形例］
上述した実施形態は本発明に一実施形態であって、様々に変形されてよい。以下にそれらの変形の例を示す。なお、以下に示す変形例の２以上が組み合わされてもよい。
【００７８】
（１）ユーザにより、ワークフローが変更された場合に、サーバ装置１０の表示指示手段１２０が、変更後のワークフローを構成する複数の工程の各々に関し、当該工程の種別に基づき当該工程に応じた注釈付与規則を決定するように構成されてもよい。
【００７９】
図１５乃至図１７は、ユーザがワークフローに変更を加える作業を行うための画面（以下、「ワークフロー変更画面」という）を模式的に示した図である。ワークフロー変更画面はクライアント装置２０の表示部２４に表示される。
【００８０】
ワークフロー変更画面の上段には変更前のワークフローが図示され、下段には変更後のワークフローが図示される。なお、ユーザがワークフローに対する変更の操作を開始する前は、ワークフロー変更画面の下段には上段と同じワークフローが図示される。
【００８１】
ユーザは、ワークフローに含まれるいずれかの工程を削除したい場合、ワークフロー変更画面の下段の図に含まれる工程のボックスのうち、削除したい工程のボックスを、例えばクリックする。この操作に応じて、ワークフロー変更画面には、図１５に示されるように、「削除」ボタンがポップアップ表示される。ユーザが「削除」ボタンをクリック等すると、ワークフロー変更画面の下段の図から、ユーザにより指定された工程のボックスが削除される。
【００８２】
その後、ユーザが「反映」ボタンをクリック等すると、クライアント装置２０からサーバ装置１０に、削除対象の工程を示すデータが送信される。サーバ装置１０は、クライアント装置２０から受信したデータに基づき、ワークフローテーブル（図９）と注釈付与規則テーブル（図１０）を更新する。この場合、注釈付与規則テーブルから、削除対象の工程に関するレコードが削除される。
【００８３】
ユーザは、ワークフローに工程を追加したい場合、ワークフロー変更画面の下段の図に含まれる工程間を結ぶ線のうち工程を追加したい位置に応じた線を、例えばクリックする。この操作に応じて、ワークフロー変更画面には、図１６に示されるように、「追加」ボタンがポップアップ表示される。ユーザが「追加」ボタンをクリック等すると、ワークフロー変更画面には、図１７に示されるように、追加される工程種別の候補を示すリストが表示される。ユーザはこのリストから追加したい工程の種別を選択する。ユーザの選択操作に応じて、ワークフロー変更画面の下段の図のユーザにより指定された位置に、ユーザにより選択された種別の工程のボックスが追加される。
【００８４】
その後、ユーザが「反映」ボタンをクリック等すると、クライアント装置２０からサーバ装置１０に、追加対象の工程の種別を示すデータが送信される。サーバ装置１０は、クライアント装置２０から受信したデータに基づき、ワークフローテーブル（図９）と注釈付与規則テーブル（図１０）を更新する。この場合、サーバ装置１０の表示指示手段１２０は、工程種別定義テーブル（図８）を参照し、追加される工程の種別に応じた注釈種別ＩＤを決定する。続いて、表示指示手段１２０は、注釈付与規則テーブル（図１０）に、追加される工程に応じたレコードを追加した後、当該レコードのフィールド「注釈種別ＩＤ」に、先に工程種別定義テーブルを参照して決定した注釈種別ＩＤを格納する。
【００８５】
この変形例によれば、ユーザは、ワークフローが変更された場合、変更後のワークフローにおける実行中の工程に応じた正しい注釈を文書に付与できる。
【００８６】
（２）サーバ装置１０の表示指示手段１２０が、文書に付与されている注釈に基づき、クライアント装置２０の表示部２４に表示を指示する注釈付与規則を決定するように構成されてもよい。
【００８７】
図１８は、この変形例に係るサーバ装置１０の機能構成を示した図である。この変形例に係るサーバ装置１０は、機能構成として、上述した実施形態に係るサーバ装置１０が備える特定手段１１０、表示指示手段１２０に加え、取得手段１３０を備える。
【００８８】
取得手段１３０は、文書に付与されている注釈を示す注釈データを取得する。具体的には、取得手段１３０は、記憶部１２に記憶されている注釈テーブル（図１１）を読み出すことにより、文書に付与されている注釈を示す注釈データを取得する。表示指示手段１２０は、取得手段１３０により取得された注釈データに基づき、注釈種別リストに含める注釈種別を決定する。
【００８９】
この変形例の一具体例において、サーバ装置１０は記憶部１２に、文書に付与されている注釈の種別と、注釈種別リストに含める注釈の種別の対応関係を示すテーブルを記憶している。このテーブルは、文書に付与されている注釈の種別に基づき、ユーザに対し表示する注釈種別リストに含める注釈種別を決定する規則を示す。以下、このテーブルを「注釈種別決定規則テーブル」という。
【００９０】
図１９は、注釈種別決定規則テーブルのデータ構成例を示した図である。注釈種別決定規則テーブルは、フィールドとして、付与済注釈種別と候補注釈種別を有する。フィールド「付与済注釈種別」には、文書に既に付与されている注釈の種別を示す注釈種別ＩＤが格納される。フィールド「候補注釈種別」には、フィールド「付与済注釈種別」に格納されている注釈種別ＩＤにより識別される注釈種別の注釈が文書に付与されている場合に、注釈種別リストに追加されるべき注釈種別を示す１以上の注釈種別ＩＤが格納されている。
【００９１】
例えば、文書に注釈種別が「修正依頼」である注釈が付与されている場合、ユーザはその注釈に応じて、注釈種別が「変更」である注釈の付与を行う可能性がある。この場合、注釈種別決定規則テーブルのフィールド「付与済注釈種別」には注釈種別「修正依頼」を識別する注釈種別ＩＤが格納され、フィールド「候補注釈種別」には注釈種別「変更」を識別する注釈種別ＩＤが格納される。
【００９２】
表示指示手段１２０は、ステップＳ１０４（図１３）において注釈種別リストを生成する際、注釈付与規則テーブル（図１０）と注釈種別定義テーブル（図７）を参照して特定した注釈種別の注釈種別名とデータ形式に対し、注釈テーブル（図１１）、注釈種別決定規則テーブル（図１９）及び注釈種別定義テーブル（図７）を参照して特定した注釈種別の注釈種別名とデータ形式を追加する。
【００９３】
この変形例によれば、ユーザは注釈種別リストを見て、既に文書に付与されている注釈に応じた正しい注釈を文書に付与できる。
【００９４】
（３）上述した変形例（２）の一具体例として、サーバ装置１０の表示指示手段１２０が、文書に付与されている注釈の中から属性に基づき選択した注釈に基づき、クライアント装置２０の表示部２４に表示を指示する注釈付与規則を決定するように構成されてもよい。
【００９５】
この具体例において、表示指示手段１２０は、ステップＳ１０４（図１３）において注釈種別リストを生成する際、まず、文書に付与されている注釈を示す注釈データの中から、注釈データに含まれる属性データが示す注釈の属性が定められた条件を満たす１以上の注釈データを選択する。続いて、表示指示手段１２０は、注釈種別決定規則テーブル（図１９）を参照し、選択した注釈データの注釈種別ＩＤをフィールド「付与済注釈種別」に格納しているレコードのフィールド「候補注釈種別」に格納されている注釈種別ＩＤを特定する。表示指示手段１２０は、そのように特定した注釈種別ＩＤにより識別される注釈種別の注釈種別名とデータ形式を、注釈種別定義テーブル（図７）を参照して特定し、特定したそれらの注釈種別名とデータ形式を、注釈種別リストに追加する。
【００９６】
この具体例によれば、ユーザは、既に文書に付与されている注釈のうち定められた条件を満たす属性を有する注釈に応じた正しい注釈を文書に付与できる。
【００９７】
表示指示手段１２０が、文書に付与されている注釈を示す注釈データの中から１以上の注釈データを選択するために用いる注釈の属性の例として、注釈が付与された時に実行されていた工程（注釈テーブル（図１１）のフィールド「付与工程番号」により特定される工程）、注釈が付与された時刻（注釈テーブルのフィールド「付与時刻」により特定される時刻）、注釈を付与した人物の役職（注釈テーブルのフィールド「担当ユーザＩＤ」により特定されるユーザの役職）が挙げられる。
【００９８】
一具体例において、表示指示手段１２０は、注釈が付与された時に実行されていた工程と、ユーザが実行している工程との関連度に基づき、文書に付与されている注釈を示す注釈データの中から、注釈種別リストに加える注釈種別の特定のために用いる１以上の注釈データを選択する。例えば、表示指示手段１２０は、ワークフローにおいて現在実行されている工程に先行する２つの工程が、現在実行されている工程と関連する工程であると判定する。また、サーバ装置１０が記憶部１２に工程種別間の関連度を示すテーブルを記憶しておき、表示指示手段１２０がそのテーブルを参照して、現在実行されている工程と関連する工程を判定してもよい。
【００９９】
表示指示手段１２０は、現在実行されている工程と関連すると判定した工程において付与された注釈を示す注釈データを、注釈種別リストに加える注釈種別の特定のために用いる注釈データとして選択する。
【０１００】
この具体例によれば、ユーザは、既に文書に付与されている注釈のうち実行している工程と定められた条件を満たす関連度を有する工程において付与された注釈に応じた正しい注釈を文書に付与できる。
【０１０１】
また、一具体例において、表示指示手段１２０は、注釈が付与された時刻に基づき、文書に付与されている注釈を示す注釈データの中から、注釈種別リストに加える注釈種別の特定のために用いる１以上の注釈データを選択する。例えば、表示指示手段１２０は、付与された時刻から現在時刻までの経過時間が定められた閾値以内である注釈を示す注釈データを、注釈種別リストに加える注釈種別の特定のために用いる注釈データとして選択する。
【０１０２】
この具体例によれば、ユーザは、既に文書に付与されている注釈のうち付与された時刻が定められた条件を満たす注釈に応じた正しい注釈を文書に付与できる。
【０１０３】
また、一具体例において、表示指示手段１２０は、注釈を付与したユーザの役職に基づき、文書に付与されている注釈を示す注釈データの中から、注釈種別リストに加える注釈種別の特定のために用いる１以上の注釈データを選択する。例えば、表示指示手段１２０は、定められた役職のユーザによって付与された注釈を示す注釈データを、注釈種別リストに加える注釈種別の特定のために用いる注釈データとして選択する。
【０１０４】
この具体例によれば、ユーザは、既に文書に付与されている注釈のうち付与した人物の役職が定められた条件を満たす注釈に応じた正しい注釈を文書に付与できる。
【０１０５】
（４）上述した変形例（２）の一具体例として、サーバ装置１０の表示指示手段１２０が、文書のうちユーザが注釈を付与する対象として指定した範囲の内容に基づき、クライアント装置２０の表示部２４に表示を指示する注釈付与規則を決定するように構成されてもよい。
【０１０６】
この具体例において、クライアント装置２０の受付手段２１０は、ユーザが作業画面（図１４）の領域Ａ０１において、文書のうち注釈を付与する対象の範囲を指定した場合、ユーザが指定した範囲を示す範囲データを生成する。クライアント装置２０は、生成した範囲データをサーバ装置１０に送信する。
【０１０７】
サーバ装置１０は、文書のうちクライアント装置２０から受信した範囲データが示す範囲の内容に基づき、注釈種別リストを決定する。サーバ装置１０の記憶部１２には、範囲データが示す範囲の内容に基づき注釈種別リストを決定するための規則を示す注釈種別決定規則テーブルが記憶されている。図２０は、この変形例において用いられる注釈種別決定規則テーブルのデータ構成例を示した図である。
【０１０８】
図２０に示す注釈種別決定規則テーブルは、フィールドとして、データパターンと候補注釈種別を有する。フィールド「データパターン」には、文書のうち範囲データが示す範囲に含まれるデータのパターンを示すデータが格納される。フォールド「データパターン」に格納されるデータの例としては、特定の文字列、数値と特定の文字列の組み合わせ（例えば、数値＋「ｃｍ」）等が挙げられる。フィールド「候補注釈種別」には、文書のうち範囲データが示す範囲に、フィールド「データパターン」が示すパターンのデータが含まれていた場合に、注釈種別リストに追加されるべき注釈種別を示す１以上の注釈種別ＩＤが格納されている。
【０１０９】
例えば、ユーザにより指定された範囲内に「数値＋「ｃｍ」」というパターンのデータが含まれている場合、この数値の正否の確認を依頼する注釈が適正な注釈であるものとする。この場合、注釈種別決定規則テーブルには、フィールド「データパターン」に「数値＋「ｃｍ」」を示すデータを格納し、フィールド「候補注釈種別」に注釈種別名「確認依頼」の注釈種別を識別する注釈種別ＩＤを格納するレコードが含まれることになる。
【０１１０】
サーバ装置１０は、注釈種別決定規則テーブルを参照し、ステップＳ１０４において生成した注釈種別リストに追加すべき注釈種別があれば、注釈種別定義テーブル（図７）を参照して、追加すべき注釈種別の注釈種別名とデータ形式を特定し、特定した注釈種別名とデータ形式を追加した新たな注釈種別リストを生成する。サーバ装置１０は、生成した新たな注釈種別リストをクライアント装置２０に送信する。クライアント装置２０は、サーバ装置１０から受信した注釈種別リストを作業画面（図１４）の領域Ｂ０１に表示する。
【０１１１】
この具体例によれば、ユーザは、文書のうち注釈を付与する対象の範囲の内容に応じた正しい注釈を文書に付与できる。
【０１１２】
（５）上述の実施形態においては、注釈種別とデータ形式のリストである注釈付与リストがユーザに表示される注釈の付与に関する規則として用いられるものとした。ユーザに表示される注釈の付与に関する規則の内容や形式はこれに限られない。例えば、注釈の付与の仕方を説明するガイダンスが注釈の付与に関する規則としてユーザに表示されてもよい。この場合、ユーザはガイダンスを読むことにより、正しい注釈を付与するための規則を知ることができる。また、入力が許可される注釈のメニューリストがユーザに表示されてもよい。この場合、ユーザはメニューリストを見て、どのような注釈の付与が許可されているかを知ることができるとともに、メニューリストから注釈を選択することにより、正しい注釈を入力できる。
【０１１３】
（６）上述の実施形態においては、ユーザが作業を開始する際に選択した作業対象の工程が実行中の工程として特定される。実行中の工程の特定方法はこれに限られない。例えば、ある工程の完了に応じてその工程に後続する工程が実行中の工程として特定されてもよい。また、例えば、サーバ装置１０が、ワークフローを構成する複数の工程の各々が実行される時間帯を示すスケジュールデータを記憶し、スケジュールデータを参照して実行中の工程を特定する構成が採用されてもよい。
【０１１４】
（７）上述の実施形態においては、作業対象の文書と注釈付与規則は同じ表示部に表示されるものとした。作業対象の文書と注釈付与規則が異なる画面に表示されてもよい。例えば、クライアント装置２０が２つの表示部を備え、一方の表示部が作業画面（図１４）の領域Ａ０１を表示し、他方の表示部が作業画面の領域Ａ０２を表示する構成が採用されてもよい。
【０１１５】
（８）上記の実施形態においては、情報処理システム１はサーバ装置１０とクライアント装置２０を備えるものとした。情報処理システム１の構成はこれに限られない。例えば、情報処理システム１が、サーバ装置１０の機能とクライアント装置２０の機能を備えるクライアント装置により構成されてもよい。また、例えば、情報処理システム１が、文書テーブル（図５）、ワークフローテーブル（図９）等を記憶し、文書及びワークフローを管理する機能を備えるサーバ装置と、注釈付与規則テーブル（図７）、注釈テーブル（図１１）等を記憶し、注釈の付与を支援する機能を備えるサーバ装置と、これらのサーバ装置の各々とデータ通信を行うクライアント装置２０により構成されてもよい。
【０１１６】
（９）コンピュータにサーバ装置１０の機能を実現させるためのプログラム及びコンピュータにクライアント装置２０の機能を実現させるためのプログラムは、例えば、光記録媒体、半導体メモリなどのコンピュータに読取り可能な記録媒体に持続的に記憶された状態で提供されてもよいし、インターネット等の通信ネットワークを介して提供されてもよい。また、これらのプログラムが記録媒体に持続的に記憶された状態で提供される場合、コンピュータがこれらのプログラムを記録媒体から読み取って用いる。また、これらのプログラムが通信ネットワークを介して提供される場合、コンピュータがこれらのプログラムを配信元の装置から受信して用いる。
【符号の説明】
【０１１７】
１…情報処理システム、１０…サーバ装置、１１…制御部、１２…記憶部、１３…通信部、２０…クライアント装置、２１…制御部、２２…記憶部、２３…通信部、２４…表示部、２５…受付部、１１０…特定手段、１２０…表示指示手段、１３０…取得手段、２１０…受付手段、２２０…表示手段。
【図１】
2020009169.tif 000003
【図２】
2020009169.tif 000004
【図３】
2020009169.tif 000005
【図４】
2020009169.tif 000006
【図５】
2020009169.tif 000007
【図６】
2020009169.tif 000008
【図７】
2020009169.tif 000009
【図８】
2020009169.tif 000010
【図９】
2020009169.tif 000011
【図１０】
2020009169.tif 000012
【図１１】
2020009169.tif 000013
【図１２】
2020009169.tif 000014
【図１３】
2020009169.tif 000015
【図１４】
2020009169.tif 000016
【図１５】
2020009169.tif 000017
【図１６】
2020009169.tif 000018
【図１７】
2020009169.tif 000019
【図１８】
2020009169.tif 000020
【図１９】
2020009169.tif 000021
【図２０】
2020009169.tif 000022